(57)【特許請求の範囲】
【請求項１】
間仕切壁に消火栓方形格納箱の高さ及び幅寸法よりも大きい高さ及び幅寸法の方形空間を上記格納箱との間隙を介して形成し、該空間に上記格納箱を挿入するに当り、該箱の下板の中央部に仮付ボルトを内側から外側に螺入し、先端を空間の底面に到達させ、左右側面板の上部にそれぞれ仮付ボルトを内側から左右外側に螺入し、空間の左右側面に到達させ、該ボルトの螺入長を調整して上記下板を上記底面と平行に調整し、上記左右側板を上記空間の左右側面と平行に調整し、内側から外側に螺入する少なくとも３個の上記仮付ボルトを上記空間の内面に到達させて該箱を上記間隙を介して上記空間内に固定し、上記仮付ボルトによって該箱を上記空間内に本取付けすることを特徴とする屋内消火栓格納箱等の施工法。
【請求項２】
間仕切壁がコンクリートブロック壁又はコンクリート壁である請求項１記載の屋内消火栓格納箱等の施工法。
【請求項３】
間仕切壁が軽量間仕切壁である請求項１記載の屋内消火栓格納箱等の施工法。
【請求項４】
上記格納箱の内側又は外側に固定したナットに上記ボルトを螺入する請求項１〜３のいずれかに記載の屋内消火栓格納箱等の施工法。
【請求項５】
上記方形格納箱の下板に少なくとも１個、該箱の左及び右側板又は上板の左及び右部にそれぞれ少なくとも１個の仮付ボルトを螺入する請求項１〜４のいずれかに記載の屋内消火栓格納箱等の施工法。
【発明の詳細な説明】
【０００１】
【発明の属する技術分野】
本発明は高層建築物等の建設に際し、間仕切壁に消火栓等の格納箱を埋込施工する方法に関するものである。
【０００２】
【従来の技術】
従来、屋内コンクリート壁に予め仮枠を施し、方形格納箱の方形埋込空間を形成した。仮枠脱形後の方形埋込空間の高さ及び幅寸法は上記格納箱の高さ、幅寸法より若干大に形成され、間隙部には目地が施されて屋内コンクリート壁の表面とほぼ同一面に上記格納箱の正面を配置し、開閉蓋が設けられた。
【０００３】
ところが高さ、幅寸法大な方形空間内に高さ、幅寸法小な消火栓等の格納箱を挿入支持するため図６（イ）（ロ）図に示すように壁の正面側及び裏面側から楔１１，１１を打込み格納箱の位置決めを方形空間内に中空に支持した。
【０００４】
この従来形施工法は壁の正面側と裏側に作業員２名を要し、格納箱の上下及び左右側にひずみ変形を起すことなくかつ水平・垂直に楔で支持するには熟練工を要し、しかも長時間（２人作業で６０分）を要した。
【０００５】
【発明が解決しようとする課題】
本発明は上記方形空間に熟練工を要せず、１人作業で短時間（１０分）に消火栓等の格納箱を上下板を水平に左右両側板を垂直に容易に空間内に中空に支持し、ひずみ変形もなく迅速に上記格納箱を間仕切壁内に施工することを目的とする。
【０００６】
【課題を解決するための手段】
上記の目的を達成するため本発明は
第１に間仕切壁に消火栓方形格納箱の高さ及び幅寸法よりも大きい高さ及び幅寸法の方形空間を上記格納箱との間隙を介して形成し、該空間に上記格納箱を挿入するに当り、該箱の下板の中央部に仮付ボルトを内側から外側に螺入し、先端を空間の底面に到達させ、左右側面板の上部にそれぞれ仮付ボルトを内側から左右外側に螺入し、空間の左右側面に到達させ、該ボルトの螺入長を調整して上記下板を上記底面と平行に調整し、上記左右側板を上記空間の左右側面と平行に調整し、内側から外側に螺入する少なくとも３個の上記仮付ボルトを上記空間の内面に到達させて該箱を上記間隙を介して上記空間内に固定し、上記仮付ボルトによって該箱を上記空間内に本取付けすることを特徴とする屋内消火栓格納箱等の施工法
第２に間仕切壁がコンクリートブロック壁又はコンクリート壁である上記第１発明記載の屋内消火栓格納箱等の施工法
第３に間仕切壁が軽量間仕切壁である上記第１発明記載の屋内消火栓格納箱等の施工法
第４に上記格納箱の内側又は外側に固定したナットに上記ボルトを螺入する上記第１〜第３発明のいずれかに記載の屋内消火栓格納箱等の施工法
第５に上記方形格納箱の下板に少なくとも１個、該箱の左及び右側板又は上板の左及び右部にそれぞれ少なくとも１個の仮付ボルトを螺入する上記第１〜第４発明のいずれかに記載の屋内消火栓格納箱等の施工法
によって構成される。
【０００７】
【発明の実施の形態】
コンクリート造建築構造物では床コンクリート７が完了し、間仕切壁１の配筋工事が行われ、消火栓方形格納箱２の挿入空間３の仮枠工事が施工されかつ壁枠が施されて壁枠間に生コンクリートが注入され、硬化後壁枠及び上記空間３の仮枠が脱型され図示するような方形の空間３がコンクリート間仕切壁１’に形成される。
【０００８】
仮枠の高さ・幅外寸（Ｈ、Ｗと同じ）は上記格納箱２の高さ・幅の外寸（ｈ、ｗと同じ）のほぼ４０〜５０ｍｍ×２大であり、脱型後の方形空間３には上記格納箱２を間隙ｔほぼ４０〜５０ｍｍを介して挿入することができる。
【０００９】
又図２に示すように床コンクリート７上に縦横の軽量形鋼１２，１２’を組合わせて軽量間仕切壁１”の骨組とすることができ、該骨組によって消火栓方形格納箱２の挿入方形空間３を形成することができる。
【００１０】
該格納箱２の上下板２’，２”及び左右側板２ａ，２ｂには予めそれぞれ複数個のボルト孔４’を有し、格納箱２の固定用仮付ボルト４（６φ×５０ｍｍ）が内側から外側に向って各ボルト孔４’に螺入推進し、先ず下板２”のボルト４の先端を空間３の底面３”（内面）に支持し、該ボルト４を調整して下板２”を水平に支持する。
【００１１】
さらに上板２’及び左右側板２ａ，２ｂの上記ボルト４を推進させることによって先端を空間３の左右側面３ａ，３ｂ（内面）や上面３’（内面）に接し、上板２’の水平、左右側板２ａ，２ｂの垂直を調整して上下板２’，２”及び左右側板２ａ，２ｂは上記空間３にひずみなく支持される。
【００１２】
コンクリート間仕切壁１’では空間３と格納箱２との間の間隙ｔにモルタルを詰込み目地５（図５（ロ）図）となし、その硬化によって該格納箱２はコンクリート間仕切壁１’に埋設され、上記仮付ボルト４は目地５に埋込んで該格納箱２を方形空間３内に本取付けする。
【００１３】
又上記軽量間仕切壁１”では間隙ｔに目地５を詰込むことなく、縦横の軽量形鋼１２，１２’による骨組の表面に張着した壁板１３によって間隙ｔは塞がれ、仮付ボルト４をそのまま利用して方形格納箱２を本取付けする。
【００１４】
比較的小形の上記格納箱２では図３に示すように下板２”の中央部に仮付ボルト４（Ｍ６φ−１００ｍｍ）を１個内側から外側（下向）に螺入し、先端を空間３の底面３”に到達させ、左右側面板２ａ，２ｂの上部にそれぞれ仮付ボルト４，４を内側から左右外側に螺入し空間３の左右側面３ａ，３ｂに到達させ、該ボルト４，４のら螺入長を調整して下板２”を底面３”と平行（水平）に調整し、左右側板２ａ，２ｂを左右側面３ａ，３ｂと平行（垂直）に調整し該格納箱２を少なくとも３個の仮付ボルト４，４，４によって空間３内に本取付けすることができる。
【００１５】
図１，２では下板２”の対称位置に２個の取付ボルト４，４を下向に螺入して底面３”に到達させて下板２”を水平に調整し、かつ左右側板２ａ，２ｂの上部及び・又は上板２’の左及び右部の対称位置にそれぞれ１個の仮付ボルト４，４或は上板２’の中央部に１個の仮付ボルト４を外側に螺入して空間３の上面３’に到達させて上記格納箱２を空間３内に本取付けすることができる。
【００１６】
ボルト孔４’はネジ孔であるが図４（イ）（ロ）図に示すようにボルト孔４’を透孔とし、その内側又は外側にナット４ａを工場で溶接固定し、該ナット４ａに仮付ボルト４を螺入することができる。
【００１７】
上記格納箱２を本取付け後該箱２の内側に突出した上記ボルト４の内端部をカットし、或は該内端部に袋ナット等による化粧ナット６を螺合させることができる。
【００１８】
上記軽量間仕切壁１”の縦横軽量形鋼１２，１２’による方形空間３では上記仮付ボルト４の先端を上記形鋼１２，１２’に溶着４ｂして該ボルト４を該形鋼１２，１２’に固定することができる。
【００１９】
尚図中２ｃで示すものは格納箱の蓋、８は拡声機、９は非常用赤色ランプ、１０は火災報知器である。
【００２０】
【発明の効果】
本発明は上述の方法によったのでコンクリート造建築物の屋内床面上に形成される内部の間仕切壁に予め形成された方形空間内に消火栓等の格納箱を熟練を要せず、かつ少ない労力できわめて短時間に歪なく正確に埋設し得る効果がある。
【図面の簡単な説明】
【図１】（イ）図はコンクリート間仕切壁の方形空間に上記格納箱を仮付けした状態の正面図である。
（ロ）図は（イ）図Ａ−Ａ線による縦断面図である。
【図２】（イ）図は軽量間仕切壁の方形空間に上記格納箱を仮付けした状態の正面図である。
（ロ）図は（イ）図Ｂ−Ｂ線による縦断側面図である。
（ハ）図は（ロ）図Ｃ−Ｃ線による横断平面図である。
【図３】小形の上記格納箱の仮付け状態の正面図である。
【図４】（イ）図は消火栓格納箱の外側にナットを固定し上記ボルトの先端を方形空間内面に溶接した状態の平面図である。
（ロ）図は上記格納箱の内側にナットを固定した状態の平面図である。
【図５】（イ）図は上記格納箱に開閉蓋を設けた状態の正面図である。
（ロ）図は（イ）図Ｄ‐Ｄ線による縦断面図である。
【図６】（イ）図は従来の楔使用工法の正面図である。
（ロ）図は（イ）図Ｅ−Ｅ線による縦断面図である。
【符号の説明】
１      間仕切壁
１’    コンクリート間仕切壁
１”    軽量間仕切壁
２      方形格納箱
２’，２”  上下板
２ａ，２ｂ  左右側板
ｈ，Ｈ    高さ
ｗ，Ｗ    幅
３      方形空間
３’，３”，３ａ，３ｂ  内面
４      仮付ボルト
４ａ    ナット
【図１】
0004796243.tif 000002
【図２】
0004796243.tif 000003
【図３】
0004796243.tif 000004
【図４】
0004796243.tif 000005
【図５】
0004796243.tif 000006
【図６】
0004796243.tif 000007